【手続補正書】
【提出日】平成16年9月27日(2004.9.27)
【手続補正１】
【補正対象書類名】明細書
【補正対象項目名】特許請求の範囲
【補正方法】変更
【補正の内容】
【特許請求の範囲】
【請求項１】
Ｎ個の入力部と、Ｍ個の出力部と、前記Ｎ個の入力部と前記Ｍ個の出力部とを結ぶ光路の交点に配置された複数の光路切換部とを有する格子型の光スイッチにおいて、
前記Ｎ個の入力部および前記Ｍ個の出力部に近接して配置される予備光路と、
前記入力部からの光路および前記出力部からの光路と、前記予備光路との交点に配置される検査用光路切換部と、
前記予備光路の入力端に配置される検査用光源と、
前記予備光路の出力端に配置される検査用光検出部とを有し、
前記光路の検査時において、前記検査用光路切換部を反射状態とすることで、Ｎ個の入力光における少なくとも１つの入力光を前記予備光路に導き、かつ前記光路に前記検査用光源からの光を導くことを特徴とする、光スイッチ。
【請求項２】
前記検査用光検出部は、前記Ｎ個の入力部からの光路の相対する位置に配置され、
前記予備光路の検査用光路切換部のうち、前記Ｎ個の入力部のうちの任意の入力部ｎとの交点に配置された光路切換部を反射状態に切換えるとともに、前記予備光路の検査用光路切換部のうち、Ｍ個の出力部のうちの任意の出力部ｍとの交点に配置された光路切換部を反射状態に切換え、さらに、前記入力部ｎからの光路の光路切換部を直進状態に切換えることを特徴とする、請求項１に記載の光スイッチ。
【請求項３】
前記検査用光検出部は、前記Ｍ個の出力部への光路の相対する位置に配置され、
前記予備光路の検査用光路切換部のうち、前記Ｎ個の入力部のうちの任意の入力部ｎとの交点に配置された光路切換部を反射状態に切換えるとともに、前記予備光路の検査用光路切換部のうち、Ｍ個の出力部のうちの任意の出力部ｍとの交点に配置された光路切換部を反射状態に切換え、さらに、前記出力部ｍへの光路の光路切換部を直進状態に切換えることを特徴とする、請求項１に記載の光スイッチ。
【請求項４】
前記予備光路の検査用光路切換部のうち、前記Ｎ個の入力部のうちの任意の入力部ｎとの交点に配置された光路切換部を反射状態に切換えるとともに、前記予備光路の検査用光路切換部のうち、Ｍ個の出力部のうちの任意の出力部ｍとの交点に配置された光路切換部を反射状態に切換え、さらに、前記入力部ｎと前記出力部ｍとの結ぶ光路上の光路切換部のうち、前記入力部ｎと前記出力部ｍとの交点に配置された光路切換部を反射状態とし、残りの光路切換部を直進状態に切換えることを特徴とする、請求項１に記載の光スイッチ。
【手続補正２】
【補正対象書類名】明細書
【補正対象項目名】０００７
【補正方法】変更
【補正の内容】
【０００７】
【課題を解決するための手段】
この発明は、Ｎ個の入力部と、Ｍ個の出力部と、Ｎ個の入力部とＭ個の出力部とを結ぶ光路の交点に配置された複数の光路切換部とを有する格子型の光スイッチにおいて、Ｎ個の入力部およびＭ個の出力部に近接して配置される予備光路と、入力部からの光路および出力部からの光路と、予備光路との交点に配置される検査用光路切換部と、予備光路の入力端に配置される検査用光源と、予備光路の出力端に配置される検査用光検出部とを有し、光路の検査時において、検査用光路切換部を反射状態とすることで、Ｎ個の入力光における少なくとも１つの入力光を予備光路に導き、かつ光路に検査用光源からの光を導くことを特徴とする。
【手続補正３】
【補正対象書類名】明細書
【補正対象項目名】００１４
【補正方法】変更
【補正の内容】
【００１４】
図１では全ての光路が動作している状態の一例を示している。ここで、交点の記号のうち、十字線は直進する状態を表しており、斜め２本線は光が直角に反射して光が曲がる状態を表している。そして、図１では、入力部ＩＮ−１は出力部ＯＵＴ−１に、入力部ＩＮ−２は出力部ＯＵＴ−２に、入力部ＩＮ−３は出力部ＯＵＴ−３に、入力部ＩＮ−４は出力部ＯＵＴ−４に選択されている状態である。予備光路７の光路切換部はすべて直進状態になっている。また、予備光路７には検査用光源８が配置され、入力部ＩＮ−１〜ＩＮ−４に相対する行には検査用光検出器９１〜９４が配置されている。
【手続補正４】
【補正対象書類名】明細書
【補正対象項目名】００１５
【補正方法】変更
【補正の内容】
【００１５】
図２は図１に示した実施形態の構成で光路を検査する状態を示す図である。この図２では入力部ＩＮ−２の光は予備光路７に移されている。このために、入力部ＩＮ−２直後の光路切換部３０の交点（０，２）の光スイッチ素子と、出力部ＯＵＴ−２直前の光路切換部３０の交点（２，０）の光スイッチ素子とを反射状態にしている。これによって、入力部ＩＮ−２からの光は光路切換部３０の交点（０，２）の光スイッチ素子で反射して予備光路の０列を通り、０行光路に曲がって進行していく。そして、光路切換部３０の交点（２，０）の光スイッチ素子で再び反射し、出力部ＯＵＴ−２へと射出していく。
【手続補正５】
【補正対象書類名】明細書
【補正対象項目名】００２０
【補正方法】変更
【補正の内容】
【００２０】
図３は図１に示した第１の実施形態の変形例であり、検査用光源と検査用光検出器の配置が異なっている。図１および図２では、行上の光路切換部を検査するようにしたが、図３に示した例では、入力部ＩＮ−１は出力部ＯＵＴ−１に、入力部ＩＮ−２は出力部ＯＵＴ−２に、入力部ＩＮ−３は出力部ＯＵＴ−３に、入力部ＩＮ−４は出力部ＯＵＴ−４に選択されている。また、予備光路７の光路切換部も第１の実施形態と同様にして光路切換部３０の交点（０，２）と（２，０）の各光スイッチ素子を反射状態としており、入力部ＩＮ−２が出力部ＯＵＴ−２にいたる光路を予備光路としている。
【手続補正６】
【補正対象書類名】明細書
【補正対象項目名】００２２
【補正方法】変更
【補正の内容】
【００２２】
図４はこの発明の第２の実施形態を示すブロック図である。この実施形態は、あるルートを予備光路７に移した際に、本光路の切換部もそのルートを辿るように光路切換部３０を動作させる。これにより、光路切換部３０は直進状態だけでなく、反射状態での検査もできる。また、検査用光検出器９は予備光路７に配置した１つだけでよい。入射と射出の関係はこれまでと同じである。また、入力部ＩＮ−２と出力部ＯＵＴ−２の光路を予備光路７に移している。
【手続補正７】
【補正対象書類名】明細書
【補正対象項目名】００２３
【補正方法】変更
【補正の内容】
【００２３】
ここで、本光路の光路切換え前は入力部ＩＮ−２から出力部ＯＵＴ−２に光が導かれる状態のままとなっている。すなわち、（１，２）直進、（２，２）反射、（２，３）直進、（２，４）直進の状態である。この状態では、検査用光源８からの光は光路切換部３０の交点（０，２）の光スイッチ素子で反射し、出力部ＯＵＴ−２へ至るルートを辿るが、出力部ＯＵＴ−２直前の予備光路７の光路切換部３０の交点（２，０）の光スイッチ素子は反射状態となっているので、ここで反射して予備光路を通り、検査用光検出器に入射する。
【手続補正８】
【補正対象書類名】明細書
【補正対象項目名】００２６
【補正方法】変更
【補正の内容】
【００２６】
【発明の効果】
以上のように、この発明によれば、Ｎ個の入力部と、Ｍ個の出力部と、Ｎ個の入力部とＭ個の出力部とを結ぶ光路の交点に配置された複数の光路切換部とを有する格子型の光スイッチにおいて、Ｎ個の入力部およびＭ個の出力部に近接して配置される予備光路と、入力部からの光路および出力部からの光路と、予備光路との交点に配置される検査用光路切換部と、予備光路の入力端に配置される検査用光源と、予備光路の出力端に配置される検査用光検出部とを有し、光路の検査時において、検査用光路切換部を反射状態とすることで、Ｎ個の入力光における少なくとも１つの入力光を予備光路に導き、かつ光路に検査用光源からの光を導くことで、光スイッチの動作を停止することなく、全ての光路切換部の検査を可能にすることができる。